(57)【要約】      （修正有）【課題】コーヒーフィルタを、コーヒー豆を入れる底部が他の物体に接触することなく安定して保持するコーヒーフィルタ保持具を提供する。【解決手段】コーヒーフィルタ保持具１は、本体２及び枠体３から構成される。内面２ａを有する本体２、及び本体２の内面２ａ上の下側の第１部分及び第１部分より上側の第２部分にそれぞれ当接する第１及び第２外縁部を外面３ａ上に有する枠体３の構成とし、第１及び第２部分でそれぞれフィルタ５の上部の下側及び上側を挟むことで、フィルタ５を底部が他の物体に接触することなく保持することができる。【選択図】図１
0003214484.tif 000002
【実用新案登録請求の範囲】
【請求項１】
コーヒーフィルタを保持するコーヒーフィルタ保持具であって、
上側及び下側にそれぞれ開口が形成され、前記上側の開口から前記下側の開口に向かって狭まる空間を区画する内面を有する本体と、
前記本体の前記内面上の下側の第１部分及び該第１部分より上側の第２部分にそれぞれ当接する第１及び第２外縁部を外面上に有する枠体と、
を備えることを特徴とする、コーヒーフィルタ保持具。
【請求項２】
前記本体の前記内面は、前記第１部分に対して前記第２部分の内幅が大きいテーパ面であり、
前記枠体の前記第２外縁部は、前記第１外縁部に対して拡幅された前記外面上の部分であることを特徴とする、請求項１に記載のコーヒーフィルタ保持具。
【請求項３】
前記本体の下側の開口は、円形状であることを特徴とする、請求項２に記載のコーヒーフィルタ保持具。
【請求項４】
前記本体の内面の下側は、円錐面の一部であり、
前記第１及び第２外縁部は、円形状をなすことを特徴とする、請求項３に記載のコーヒーフィルタ保持具。
【請求項５】
前記枠体の外面は、筒面又は錐面の一部であり、
前記第２外縁部は、前記枠体の外面に形成された段部の角であることを特徴とする、請求項１〜４のいずれか一項に記載のコーヒーフィルタ保持具。
【請求項６】
前記枠体の外面は、筒面又は錐面の一部であり、
前記第２外縁部は、前記外面上にループ状に形成された突起であることを特徴とする、請求項１〜４のいずれか一項に記載のコーヒーフィルタ保持具。
【請求項７】
前記本体を支持する支持部材をさらに備えることを特徴とする、、請求項１〜６のいずれか一項に記載のコーヒーフィルタ保持具。
【請求項８】
前記枠体は、前記第２外縁部側から前記第１外縁側の端部にまでの高さが、前記本体の前記上側の開口から前記下側の開口までの高さよりも小さいことを特徴とする、請求項１〜７のいずれか一項に記載のコーヒーフィルタ保持具。
【考案の詳細な説明】
【技術分野】
【０００１】
本考案は、コーヒーフィルタを保持するコーヒーフィルタ保持具に関する。
【背景技術】
【０００２】
コーヒー粉からコーヒーを淹れるためにコーヒードリッパが使用されている。コーヒードリッパ内にコーヒーフィルタ（所謂露紙でありペーパフィルタ、単にフィルタとも呼ばれる）をセットし、その内にコーヒー粉を入れ、適量の湯を注ぐことで、コーヒーをドリップすることができる。その際、湯をコーヒー粉全体に均一に含ませてコーヒー粉を蒸らすことで、コーヒー粉に含まれるガスが抜け、湯がコーヒー粉になじみやすくなり、コーヒーの旨味成分が程良く抽出される。しかし、コーヒー粉を蒸らすのに適当なコーヒードリッパ内での湯の流れ、速度（ドリップ速度）があり、コーヒーフィルタがコーヒードリッパの内面に接触すると内面を伝って湯が早く流れ落ちてしまい、コーヒー粉を十分に蒸らすことができない。そこで、例えば特許文献１及び２には、コーヒーフィルタが内面に接触する面積を小さくした形状のコーヒードリッパが開示されている。しかし、接触する面積がゼロとなるものではない。
【０００３】
また、コーヒーフィルタの下側にコーヒードリッパを配さずにコーヒーを淹れる「ネルドリップ」と呼ばれる方法が知られている。フィルタをドリップに接触させずにコーヒーを淹れることができる。しかし、フィルタを安定させて一定に位置に留め置くための工夫が必要であり、家庭等において広く用いることができるものではない。
【先行技術文献】
【特許文献】
【０００４】
【特許文献１】登録実用新案第３１８９０６２号公報
【特許文献２】特開２０１６−１５４６５０号公報
【考案の概要】
【考案が解決しようとする課題】
【０００５】
本考案は、コーヒーフィルタを、コーヒー豆を入れる底部が他の物体に接触することなく安定して保持するコーヒーフィルタ保持具を提供することを課題とする。
【課題を解決するための手段】
【０００６】
本考案のコーヒーフィルタ保持具は、コーヒーフィルタを保持するコーヒーフィルタ保持具であって、上側及び下側にそれぞれ開口が形成され、上側の開口から下側の開口に向かって狭まる空間を区画する内面を有する本体と、本体の内面上の下側の第１部分及び該第１部分より上側の第２部分にそれぞれ当接する第１及び第２外縁部を外面上に有する枠体と、を備えることを特徴とする。
【０００７】
これによれば、コーヒーフィルタを広げ、その底部を本体の上側の開口から本体の空間内に入れて下側の開口から出す。ここで、本体の内面が、上側の開口から下側の開口に向かって狭まるように空間を区画していることで、コーヒーフィルタの底部を本体の下側の開口から出した際に、その上部が本体の内面に当接する。そこで、枠体を、その第１外縁部を本体の下側の開口に向けて、本体の上側の開口から空間内に入れて、枠体の第１外縁部と本体の内面上の第１部分とでコーヒーフィルタの上部の下側を挟むとともに枠体の第２外縁部と本体の内面上の第２部分とでコーヒーフィルタの上部の上側を挟むことで、本体の内面上の２箇所でコーヒーフィルタを保持することができる。コーヒーフィルタを下側から支持するコーヒードリッパがなくとも、安定してコーヒーフィルタを保持することができる。コーヒーフィルタ保持具により保持されたコーヒーフィルタにコーヒー豆を入れ、上側から本体の空間及び枠体の内側を通して湯を注ぐことで、コーヒーをドリップすることができる。
【０００８】
本考案のコーヒーフィルタ保持具は、本体の内面は、第１部分に対して第２部分の内幅が大きいテーパ面であり、枠体の第２外縁部は、第１外縁部に対して拡幅された外面上の部分であることを特徴とする。
【０００９】
これによれば、第２外縁部が本体内面のテーパ面の傾斜部に接することで、第２外縁部と本体内面との間で摩擦力が発生し、コーヒーフィルタを安定して保持することができる。
【００１０】
本考案のコーヒーフィルタ保持具は、本体の下側の開口は、円形状であることを特徴とする。
【００１１】
これによれば、コーヒードリップと共に使用するために広く用いられているコーヒーフィルタを使用することができる。
【００１２】
本考案のコーヒーフィルタ保持具は、本体の内面の下側は、円錐面の一部であり、第１及び第２外縁部は、円形状をなすことを特徴とする。
【００１３】
これによれば、第１及び第２外縁部が本体の内面に密接して、本体と枠体との間にコーヒーフィルタの上部を強く挟むことができる。
【００１４】
本考案のコーヒーフィルタ保持具は、枠体の外面は、筒面又は錐面の一部であり、第２外縁部は、枠体の外面に形成された段部の角であることを特徴とする。
【００１５】
これによれば、角状の第２外縁部により、局所的に摩擦力が発生し、コーヒーフィルタの保持がより安定する。
【００１６】
本考案のコーヒーフィルタ保持具は、枠体の外面は、筒面又は錐面の一部であり、第２外縁部は、外面上を周回するループ状に形成された突起であることを特徴とする。
【００１７】
これによれば、本体及び枠体を共に回転体形状とすることができ、ろくろ等を用いて容易に生産することが可能となる。
【００１８】
本考案のコーヒーフィルタ保持具は、本体を支持する支持部材をさらに備えることを特徴とする。
【００１９】
これによれば、支持部材を用いて、本体をコーヒーを注ぐ容器の上に支持することができる。
【００２０】
本考案のコーヒーフィルタ保持具は、枠体は、第２外縁部側から第１外縁側の端部にまでの高さが、本体の前記上側の開口から下側の開口までの高さよりも小さいことを特徴とする。
【００２１】
これによれば、枠体の上下を逆にして第２外縁部側の端部を本体の下側の開口から本体の空間内に入れることで、枠体を本体の空間内に収納することができる。
【考案の効果】
【００２２】
本考案のコーヒーフィルタ保持具によれば、コーヒーフィルタを、コーヒー豆を入れる底部が他の物体（コーヒードリップ等）に接触することなく安定して保持することが可能となる。
【図面の簡単な説明】
【００２３】
【図１】図１は、コーヒーフィルタ保持具の構成を示す断面図である。
【図２】図２は、本体の内面上の第１部分及び第２部分並びに枠体の第１及び第２外縁部の位置関係を示す図である。
【図３】図３は、コーヒーフィルタ保持具の収納状態を示す断面図である。
【考案を実施するための形態】
【００２４】
以下、本考案の一実施形態について説明する。
【００２５】
図１及び図２に、それぞれ、コーヒーフィルタ保持具１の構成及び図１における円Ｃ内の詳細構成を示す。コーヒーフィルタ保持具１は、コーヒーフィルタ（単にフィルタとも呼ぶ）５を、コーヒー豆を入れる底部に密着することなくコーヒーが注がれるカップ等の容器の上に保持する器具であり、本体２及び枠体３から構成される。なお、フィルタ５は、台形型、円錐型等の任意の形状の市販品を使用してよいが、好ましくは円形状に開口する形状のものを使用するとよい。本体２及び枠体３のサイズは、フィルタ５のサイズ、形状に応じて適宜定めてよい。
【００２６】
本体２は、フィルタ５の上端を保持する部材である。本体２は、一例として、プラスチック、金属、木等を用いて、側面視において下向きの錐台形状に成形される。ただし、上側及び下側にそれぞれ開口２ｂ，２ｃが形成され、上側の開口２ｂから下側の開口２ｃに向かって狭まる空間２ｄを区画する内面２ａが形成されている。
【００２７】
開口２ｂ，２ｃ（特に開口２ｃ）は、円形状である。
【００２８】
本体２の内面２ａ（少なくともその下側）は、例えば３０度以上の頂角（対向する内面がなす角度）を有する円錐面の一部をなす。ここで、内面２ａ上の下側の部分（本実施形態では開口２ｃを区画する下端の縁部）を第１部分２ａ１及び第１部分２ａ１より上側の部分（内面２ａ上を周回する部分）を第２部分２ａ２とする。内面２ａは、第１部分２ａ１に対して第２部分２ａ２の内幅が大きいテーパ面である。
【００２９】
枠体３は、フィルタ５を本体２と挟み込む部材である。枠体３は、一例として、プラスチック、金属、木等を用いて、側面視において下向きの錐台形状（又は筒状でもよい）に成形される。ただし、上端に外面３ａから外向きに拡がるフランジ３ｂ、外面３ａとフランジ３ｂとの間に段部３ｃ、中央に上下方向に貫通する貫通孔３ｄが形成されている。
【００３０】
外面３ａは錐面（又は筒面でもよい）の一部であり、下側の部分（外面３ａ上を周回する部分）を第１外縁部３ａ１、これに対して拡幅された（つまり、大きな幅を有する）外面３ａ上の部分を第２外縁部３ａ２とする。本実施形態では、フランジ３ｂの角を第２外縁部３ａ２とする。それにより、第２外縁部３ａ２が本体２の内面２ａに密接するよう簡便に枠体３を形成することができる。
【００３１】
枠体３を本体２の内側に嵌め込むことで、枠体３の第１及び第２外縁部３ａ１，３ａ２により本体２の内面２ａ上の第１及び第２部分２ａ１，２ａ２の２箇所でフィルタ５を保持することができる。ここで、第１及び第２外縁部３ａ１，３ａ２は、上面視において円形状をなす。それにより、第１及び第２外縁部３ａ１，３ａ２は、本体２の内面２ａ上の第１及び第２部分２ａ１，２ａ２に密接して、本体２と枠体３との間にフィルタ５の上部を強く挟むことができる。
【００３２】
なお、本体２と枠体３に加えて、台座部材４を設けてもよい。台座部材４は、支持部材４ａにより、本体２を下方から支持する。それにより、本体２をコーヒーを注ぐカップ等の容器の上に支持することができる。
【００３３】
コーヒーフィルタ保持具１の使用方法を説明する。図１に示すように、まず、フィルタ５を広げ、その底部を本体２の上側の開口２ｂから本体２の空間２ｄ内に入れて下側の開口２ｃから出す。ここで、本体２の内面２ａが、上側の開口２ｂから下側の開口２ｃに向かって狭まるように空間２ｄを区画していることで、フィルタ５の底部を本体２の下側の開口２ｃから下に出した際に、その上部が本体２の内面２ａに当接する。次に、枠体３を、その第１外縁部３ａ１側を本体２の下側の開口２ｃに向けて、本体２の上側の開口２ｂから空間２ｄ内に入れて、枠体３の第１外縁部３ａ１と本体２の内面２ａ上の第１部分２ａ１とでフィルタ５の上部の下側を挟むとともに枠体３の第２外縁部３ａ２と本体２の内面２ａ上の第２部分２ａ２とでフィルタ５の上部の上側を挟むことで、フィルタ５をコーヒー豆を入れる底部が他の物体に接触することなく保持することができる。最後に、コーヒーフィルタ保持具１により保持されたフィルタ５にコーヒー豆を入れ、上側から本体２の空間２ｄ及び枠体３の内側を通して湯を注ぐことで、コーヒーをドリップすることができる。
【００３４】
図３に、コーヒーフィルタ保持具１の収納状態を示す。枠体３は、第２外縁部側から第１外縁側の端部にまでの高さｈが、本体の前記上側の開口から下側の開口までの高さＨよりも小さい。それにより、枠体３の上下を逆にして第２外縁部３ａ２側の端部を本体２の上側の開口２ｂから本体２の空間２ｄ内に入れることで、枠体３を本体２の空間２ｄ内に収納することができる。
【００３５】
以上詳細に説明したように、コーヒーフィルタ保持具１は、上側及び下側にそれぞれ開口２ｂ，２ｃが形成され、上側の開口２ｂから下側の開口２ｃに向かって狭まる空間２ｄを区画する内面２ａを有する本体、及び本体２の内面２ａ上の下側の第１部分２ａ１及び第１部分２ａ１より上側の第２部分２ａ２にそれぞれ当接する第１及び第２外縁部３ａ１，３ａ２を外面３ａ上に有する枠体３を備える。フィルタ５を広げ、その底部を本体２の上側の開口２ｂから本体２の空間２ｄ内に入れて下側の開口２ｃから出す。ここで、本体２の内面２ａが、上側の開口２ｂから下側の開口２ｃに向かって狭まるように空間２ｄを区画していることで、フィルタ５の底部を本体２の下側の開口２ｃから下に出した際に、その上部が本体２の内面２ａに当接する。次に、枠体３を、その第１外縁部３ａ１側を本体２の下側の開口２ｃに向けて、本体２の上側の開口２ｂから空間２ｄ内に入れて、枠体３の第１外縁部３ａ１と本体２の内面２ａ上の第１部分２ａ１とでフィルタ５の上部の下側を挟むとともに枠体３の第２外縁部３ａ２と本体２の内面２ａ上の第２部分２ａ２とでフィルタ５の上部の上側を挟むことで、フィルタ５をコーヒー豆を入れる底部が他の物体に接触することなく保持することができる。
【００３６】
なお、枠体３の第２外縁部３ａ２は、フランジ３ｂの角に限らず、例えば外面３ａ上を周回するループ状に形成された突起としてもよい。また、枠体３の第１外縁部３ａ２は、外面３ａ上の部分に限らず、例えば外面３ａ上を周回するループ状に形成された突起としてもよい。それにより、第１及び第２外縁部３ａ１，３ａ２が本体２の内面２ａに密接するよう簡便に枠体３を形成することができる。
【００３７】
また、本体２は、側面視において下向きの錐台形状に形成したが、これに限らず、上側及び下側にそれぞれ開口が形成され、上側の開口から下側の開口に向かって狭まる空間を区画する内面が形成された立方体であってもよい。
【産業上の利用可能性】
【００３８】
コーヒーフィルタを、コーヒー豆を入れる底部が他の物体に接触することなく保持するコーヒーフィルタ保持具である。多くの喫茶店及び個人による利用が考えられる。
【符号の説明】
【００３９】
１    コーヒーフィルタ保持具
２    本体
２ａ  内面
２ａ１ 第１部分
２ａ２ 第２部分
２ｂ  開口
２ｃ  開口
２ｄ  空間
３    枠体
３ａ  外表面
３ａ１ 第１外縁部
３ａ２ 第２外縁部
３ｂ  フランジ
３ｃ  段部
３ｄ  貫通孔
４    台座部材
４ａ  支持部材
５    フィルタ
【図１】
0003214484.tif 000003
【図２】
0003214484.tif 000004
【図３】
0003214484.tif 000005